(57)【要約】【課題】天井に設置され、直接風による体感温度の減少や室内の空気の循環用に使用される天井扇で、送風効率が良く、送風の到達範囲を広くすることができる天井扇を提供することを目的とする。【解決手段】電動機４または本体６にアーム部７を介して固定される複数の羽根板８を備え、外側循環風と内側循環風を同時に生成するようにしたことにより、送風効率が良く、送風の到達範囲を広くすることができ、天井扇１の中心部の直下付近でも風速を高くすることができる天井扇１を得られる。【選択図】図１
2011220347.tif 000002
【特許請求の範囲】
【請求項１】
回転軸の一端を天井面側に固定する取り付け手段と、前記回転軸を中心に回転する電動機と、前記電動機の全部または一部を内包する本体と、前記電動機または前記本体にアーム部を介して固定される複数の羽根板を備え、前記電動機と共に前記羽根板が回転し送風を行う天井扇で、前記羽根板からの送風が外周側へ向かうことにより生成される外側循環風と、前記羽根板からの送風が内周側へ向かうことにより生成される内側循環風を同時に生成するようにし、前記羽根板の一部または全部が上板と下板とで構成され、前記羽根板の内周側と外周側それぞれに開口を持つ風路空間を備えた天井扇。
【請求項２】
羽根板の上板の内径Ｄｔｉが、下板の内径Ｄｂｉよりも大きい請求項１記載の天井扇。
【請求項３】
羽根板の上板の内径Ｄｔｉが、下板の内径Ｄｂｉよりも小さい請求項１記載の天井扇。
【請求項４】
羽根板の上板が電動機にアーム部を介して固定され、前記アーム部と前記羽根板との接合部が前記羽根板の内周側領域と外周側領域の境界にある請求項１〜３いずれかに記載の天井扇。
【請求項５】
羽根板の風路空間に空質改善機能を備える請求項１〜４いずれかに記載の天井扇。
【請求項６】
空質改善機能がフィルターによる集塵である請求項５記載の天井扇。
【請求項７】
空質改善機能が芳香である請求項５記載の天井扇。
【発明の詳細な説明】
【技術分野】
【０００１】
本発明は、天井に設置され、直接風による体感温度の減少や室内の空気の循環に使用される天井扇に関するものである。
【背景技術】
【０００２】
従来、この種の天井扇は、長板状の羽根板の一端を支持する接続部材を介して、電動機により回転する回転体に固定するものが知られている（例えば、特許文献１参照）。
【０００３】
以下、その天井扇について図１７を参照しながら説明する。
【０００４】
図に示すように、天井扇１０１の全体構成はキャノピー（上カバー）１０２と中カバー１０３と電動機の外側回転体１０４と下カバー１０５と、外側回転体１０４のホルダー１０６に羽根１０７が取り付けられているものからなり、キャノピー１０２の内部の簡易取り付け金具１０８が天井１０９にネジ止めされて天井扇１０１は吊り下げられている。
【０００５】
上記構成において、羽根１０７は回転軸を中心とする周方向に所定の角度を持って取り付けられており、電動機により羽根１０７が回転すると、羽根１０７の昇圧作用により、正方向の回転では羽根１０７の外周から天井１０９と羽根１０７の間を通った空気が下方に送風され、また逆回転では羽根１０７の下方から天井１０９と羽根１０７の間を通って羽根１０７の外周に送風され、いずれも外側循環風１１０を生成する。よって、主に夏季に天井扇１０１の直下付近で涼を取る場合は正方向回転で使用され、主に冬季に直接風で冷風感を感じないように部屋全体の空気の循環を促す場合は逆回転で使用される。
【先行技術文献】
【特許文献】
【０００６】
【特許文献１】特開平１１−２１０６７８号公報
【発明の概要】
【発明が解決しようとする課題】
【０００７】
このような従来の天井扇では、羽根１０７と天井１０９の間隔が狭いため、正方向回転時は羽根１０７の外周から天井１０９と羽根１０７の間を通った空気が、羽根１０７の内周に届きにくく、羽根１０７の外周側領域で主に送風の仕事をするため、送風効率が悪く、送風の到達範囲が狭く、また羽根１０７の外周側領域から室内を回って羽根１０７の外周へ戻る外側循環風１１０が生成されるため、天井扇１０１の中心部の直下付近では風速が低いという課題があり、正方向回転時には羽根１０７の内周側領域でも送風の仕事をして送風効率が良く、到達範囲が広く、天井扇１０１の中心部の直下付近でも風速を高くすることが要求されている。
【０００８】
また、羽根１０７と天井１０９の間隔が狭いため、逆回転時は羽根１０７の内周側領域で羽根１０７の下方から天井１０９と羽根１０７の間に送られた空気は、羽根１０７の外周へ排出されにくいため、羽根１０７の内周側領域の仕事量が少なくなり送風効率が低下し送風の到達範囲が狭くなり、また羽根１０７の下方から天井１０９と羽根１０７の間に送られた空気は一度天井面にぶつかってから外周側へと吹き出すため、循環風速が低くなり、送風の到達範囲が狭くなるという課題があり、逆回転時には羽根１０７の内周側領域でも送風の仕事をして送風効率が良く、羽根１０７から外周に吹き出される循環風の風速が高く、送風の到達範囲を広くすることが要求されている。
【０００９】
また、天井扇１０１の送風により室内に堆積していた塵埃等が飛散し、室内の空気を汚染してしまうという課題があり、室内の空気質を改善する機能を追加することが要求されている。
【００１０】
本発明は、このような従来の課題を解決するものであり、羽根板の内周側領域でも送風の仕事をして送風効率が良く、送風の到達範囲が広く、正方向回転時には天井扇の中心部の直下付近でも風速を高くすることができ、逆回転時には羽根から外周に吹き出される循環風の風速を高くすることができ、室内の空気質を改善することができる天井扇を提供することを目的としている。
【課題を解決するための手段】
【００１１】
本発明の天井扇は上記目的を達成するために、回転軸の一端を天井面側に固定する取り付け手段と、回転軸を中心に回転する電動機と、電動機の全部または一部を内包する本体と、電動機にアーム部を介して固定される羽根板を備え、電動機と共に羽根板が回転して送風を行う天井扇で、羽根板の一部または全部が上板と下板とで構成され、羽根板の内周側と外周側それぞれに開口を持つ風路空間を備えた天井扇としたものである。
【００１２】
この手段により、内周側の空気が風路空間を通って外周側へ吹き出すことができ、内側循環風が生成され周、羽根板の内周側領域でも送風の仕事をして送風効率が良く、送風の到達範囲を広くすることができる天井扇が得られる。
【００１３】
また他の手段は、羽根板の上板の内径Ｄｔｉが、下板の内径Ｄｂｉよりも大きい天井扇としたものである。
【００１４】
この手段により、逆回転時に内周側の空気が容易に内側開口に流入し、風路空間を通って外周側へ吹き出すことができ、羽根から外周に吹き出される循環風の風速を高くすることができる天井扇が得られる。
【００１５】
また他の手段は、羽根板の上板の内径Ｄｔｉが、下板の内径Ｄｂｉよりも小さい天井扇としたものである。
【００１６】
この手段により、正方向回転時に内周側の空気が容易に内側開口に流入し、風路空間を通って外周側へ吹き出すことができ、羽根板の内周側領域でも送風の仕事をして送風効率が良く、送風の到達範囲を広くすることができる天井扇が得られる。
【００１７】
また他の手段は、羽根板の上板が電動機にアーム部を介して固定され、アーム部と羽根板との接合部が羽根板の内周側領域と外周側領域の境界にある天井扇としたものである。
【００１８】
この手段により、羽根板の内周側領域でも送風の仕事をして送風効率が良く、送風の到達範囲を広くすることができ、天井扇の中心部の直下付近でも風速を高くすることができる天井扇が得られる。
【００１９】
また他の手段は、羽根板の風路空間に空質改善機能を備える天井扇としたものである。
【００２０】
この手段により、天井扇の運転による塵埃等の飛散により汚染される室内の空気を改善することができる天井扇が得られる。
【００２１】
また他の手段は、空質改善機能がフィルターによる集塵である天井扇としたものである。
【００２２】
この手段により、天井扇の運転による塵埃等の飛散により汚染される室内の空気をフィルターで集塵することにより改善することができる天井扇が得られる。
【００２３】
また他の手段は、空質改善機能が芳香である天井扇としたものである。
【００２４】
この手段により、天井扇の運転による塵埃等の飛散により臭気で汚染された室内の空気を芳香して、不快な臭気を改善することができる天井扇が得られる。
【発明の効果】
【００２５】
本発明によれば、羽根板の内周側領域でも送風の仕事をして送風効率が良く、送風の到達範囲が広く、正方向回転時には天井扇の中心部の直下付近でも風速を高くすることができ、逆回転時には羽根から外周に吹き出される循環風の風速を高くすることができ、室内の空気質を改善することができる天井扇を提供できる。
【図面の簡単な説明】
【００２６】
【図１】本発明の参考の形態１の天井扇を示す斜視図
【図２】本発明の参考の形態１の天井扇を示す側面図
【図３】本発明の参考の形態１の天井扇を示す部分斜視図
【図４】本発明の参考の形態２の天井扇を示す斜視図
【図５】本発明の参考の形態３の天井扇を示す側面図
【図６】本発明の参考の形態４の天井扇を示す側面図
【図７】（ａ）本発明の参考の形態５の天井扇を示す斜視図、（ｂ）同正面図
【図８】本発明の参考の形態６の天井扇を示す部分斜視図
【図９】本発明の参考の形態６の天井扇を示す部分斜視図
【図１０】本発明の実施の形態１の天井扇を示す斜視図
【図１１】本発明の実施の形態１の天井扇を示す側面図
【図１２】（ａ）本発明の実施の形態２の天井扇を示す斜視図、（ｂ）同上面図
【図１３】（ａ）本発明の実施の形態３の天井扇を示す斜視図、（ｂ）同下面図
【図１４】本発明の実施の形態４の天井扇を示す斜視図
【図１５】本発明の実施の形態５、６の天井扇を示す部分斜視図
【図１６】本発明の実施の形態７の天井扇を示す部分斜視図
【図１７】従来の天井扇を示す側面図
【発明を実施するための形態】
【００２７】
本発明の請求項１記載の発明は、回転軸の一端を天井面側に固定する取り付け手段と、回転軸を中心に回転する電動機と、電動機の全部または一部を内包する本体と、電動機にアーム部を介して固定される羽根板を備え、電動機と共に羽根板が回転して送風を行う天井扇で、羽根板の一部または全部が上板と下板とで構成され、羽根板の内周側と外周側それぞれに開口を持つ風路空間を備えた天井扇としたものであり、内周側の空気が風路空間を通って外周側へ吹き出すことができ、羽根板の内周側領域でも送風の仕事をして送風効率が良く、送風の到達範囲を広くすることができ、天井扇の中心部の直下付近でも風速を高くすることができるという作用を有する。
【００２８】
また、羽根板の上板の内径Ｄｔｉが、下板の内径Ｄｂｉよりも大きい天井扇としたものであり、逆回転時に内周側の空気が容易に内側開口に流入し、風路空間を通って外周側へ吹き出すことができ、羽根から外周に吹き出される循環風の風速を高くすることができるという作用を有する。
【００２９】
また、羽根板の上板の内径Ｄｔｉが、下板の内径Ｄｂｉよりも小さい天井扇としたものであり、正方向回転時に内周側の空気が容易に内側開口に流入し、風路空間を通って外周側へ吹き出すことができ、羽根板の内周側領域でも送風の仕事をして送風効率が良く、送風の到達範囲を広くすることができるという作用を有する。
【００３０】
また、羽根板の上板が電動機にアーム部を介して固定され、アーム部と羽根板との接合部が羽根板の内周側領域と外周側領域の境界にある天井扇としたものであり、羽根板の内周側領域でも送風の仕事をして送風効率が良く、送風の到達範囲を広くすることができ、天井扇の中心部の直下付近でも風速を高くすることができるという作用を有する。
【００３１】
また、羽根板の風路空間に空質改善機能を備える天井扇としたものであり、天井扇の運転による塵埃等の飛散により汚染される室内の空気を改善することができるという作用を有する。
【００３２】
また、空質改善機能がフィルターによる集塵である天井扇としたものであり、天井扇の運転による塵埃等の飛散により汚染される室内の空気をフィルターで集塵することにより改善することができるという作用を有する。
【００３３】
また、空質改善機能が芳香である天井扇としたものであり、天井扇の運転による塵埃等の飛散により臭気で汚染された室内の空気を芳香して、不快な臭気を改善することができるという作用を有する。
【００３４】
以下、本発明の実施の形態について図面を参照しながら説明する。
【００３５】
（参考の形態１）
本発明の参考の形態１を図１〜３に示す。図１〜３に示すように、天井扇１は、回転軸２の一端を天井面側に固定するための取り付け手段３、回転軸２を中心に回転する電動機４と、電動機４を内包し電動機と共に回転する回転部５を一部とする本体６を備え、本体６の回転部５にアーム部７を介して３枚の羽根板８が固定されている。この例では本体６の外径は２５０ｍｍで天井９から本体６の最下端１０までの距離は３００ｍｍであり、羽根板８の内径は３００ｍｍ、外径は９００ｍｍとし、取り付け手段３は、天井９にあらかじめ備えられた引っ掛けシーリングに固定することができる引っ掛け部材とする。アーム部７と羽根板８の接合部１１は直径５００ｍｍの位置にあり、羽根板８は接合部１１を境に内周側領域１２と外周側領域１３に分けられる。
【００３６】
羽根板８の外周側領域１３は回転軸２を中心とする周方向の取り付け角である外周側取り付け角θｏ（この例では最外周の取り付け角を２０度とする）で固定されており、羽根板８の内周側領域１２は回転軸２を中心とする周方向に、外周側領域１３の外周側取り付け角θｏより大きな内周側取り付け角θｉ（この例では８０度とする）で固定されており、内周側領域１２と外周側領域１３は滑らかに接合されている。
【００３７】
この構成により、電動機４により羽根板８が回転すると、羽根板８の昇圧作用により、羽根板８の外周側領域１３では、正方向回転時は外周から天井９と羽根板８の間を通った空気が下方に送風され、また逆回転時は羽根板８の下方から天井９と羽根板８の間を通って羽根板８の外周に送風されるため、正方向回転時、逆回転時で方向が異なる外側循環風１４を生成する。その時羽根板８の内周側領域１２では、正方向回転時は内周端１５より内周側の空気が羽根板８に流入し下方に吹き出され、また、逆回転時は下方から空気が羽根板８に流入し内周側に吹き出されるため、外側循環風１４と同時に天井扇１の本体６の直下付近で内側循環風１６を生成することができ、羽根板８の内周側領域１２でも送風の仕事をするため、送風効率が良く、送風の到達範囲を広くすることができる。
【００３８】
（参考の形態２）
本発明の参考の形態２を図４に示す。参考の形態１と同一部分は同一番号を付し、詳細な説明は省略する。図４に示すように、接合部１１で分岐したアーム部７の内周側に内周側領域１２として内周側羽根板１７が固定され、接合部１１より外周側に外周側領域１３として外周側羽根板１８が固定されている。
【００３９】
この構成により、内周側領域１２と外周側領域１３が一体ではないため、内側循環風１６を生成する内周側領域１２の流れに最適な形状と外側循環風１４を生成する外周側領域１３の流れに最適な形状を独立して決定できるため、送風効率が良く、送風の到達範囲を広くすることができる。
【００４０】
（参考の形態３）
本発明の実施の形態３を図５に示す。参考の形態１、２と同一部分は同一番号を付し、詳細な説明は省略する。図５に示すように、羽根板８は本体６の最下端１０より上に位置している。
【００４１】
この構成により、天井扇１全体の製品高さを大きくすることなく、羽根板８の内周側領域１２で天井扇１の本体６の中心直下付近で内側循環風１６を生成することができ、送風効率が良く、送風の到達範囲を広くすることができる。
【００４２】
（参考の形態４）
本発明の参考の形態４を図６に示す。参考の形態１〜３と同一部分は同一番号を付し、詳細な説明は省略する。図６に示すように、羽根板８が本体６の最下端１０より下に位置し、羽根板８の内径が１５０ｍｍで、内周側領域１２の内周端１５が本体６の外周よりも内側に位置している。
【００４３】
この構成により、内周側領域１２の径方向長さを長くすることができ、内周側領域１２の仕事量を増やして送風効率を向上することができる。
【００４４】
（参考の形態５）
本発明の参考の形態５を図７に示す。参考の形態１〜４と同一部分は同一番号を付し、詳細な説明は省略する。図７（ａ）は本発明の参考の形態５の天井扇１の斜視図であり、図７（ｂ）は同正面図である。図７（ａ）、（ｂ）に示すように、内周側領域１２の内周側は回転軸２と平行で、回転軸２と垂直な断面形状において、逆回転方向に凸な円弧形状で、内周端１５の角度αが正方向回転方向に４５度となっており、正方向回転時に内周側領域１２が遠心方向の流れを発生する形状となっている。
【００４５】
この構成により、正方向回転時に内周側領域１２が遠心方向の流れを発生し、羽根板８の内周側領域１２から外周側領域１３に遠心方向の流れが伝わり、外周側領域１３からの送風の遠心方向風速を増加させることができるため、広範囲に送風することができる。
【００４６】
なお、回転軸２と垂直な断面形状において、正方向回転方向に凸な円弧形状で、内周端１５の角度αが逆回転方向に４５度とし、逆回転時に内周側領域１２が遠心方向の流れを発生する構成にすれば、逆回転時に外周側に吹き出す循環風速を向上することができる。
【００４７】
なお、回転軸２と垂直な内周側領域１２の断面形状は、複数円弧形状など滑らかに気流を導く形状であれば良く、また角度αは、内周側の空気を内周端１５が引っかくことができるようにするため０度〜９０度の間であれば良い。
【００４８】
（参考の形態６）
本発明の参考の形態６を図８、図９に示す。参考の形態１〜５と同一部分は同一番号を付し、詳細な説明は省略する。図８に示すように、接合部１１には羽根板８に取り付けられた羽根板金具１９と、アーム部７の先端に取り付けられたアーム部金具２０とを備え、天井扇１の径方向を固定軸２１としてボルト２２とナット２３により固定する構成となっている。
【００４９】
この構成により、接合部１１の固定軸２１を支点として羽根板８の取り付け角θを変更することができるため、部屋の広さや天井高さに合わせて、取り付け角度を浅くして送風到達範囲を狭めたり、取り付け角度を深くして広げたりすることができる。
【００５０】
なお、図９に示すように、固定軸２１を天井扇１の周方向とすると、羽根板８の仰角βを変更することができるため、仰角βを大きくすることで到達範囲を広く、仰角を小さくすることで到達範囲を狭くすることができる。
【００５１】
なお、固定軸２１を径方向と周方向共に備えるような羽根板金具１９とアーム部金具２０とすれば、取り付け角θと仰角βの両方で到達範囲を調整することができる。
【００５２】
（実施の形態１）
本発明の実施の形態１を図１０、図１１に示す。参考の形態１〜６と同一部分は同一番号を付し、詳細な説明は省略する。図１０、１１に示すように、天井扇１は、回転軸２の一端を天井面側に固定する取り付け手段３と、回転軸２を中心に回転する電動機４と、電動機４を内包し電動機４と共に回転する回転部５を一部とする本体６を備え、３枚の羽根板８が回転部５にアーム部７を介して固定されている。この例では本体６の外径は２５０ｍｍで天井９から本体６の最下端１０までの距離は３００ｍｍであり、羽根板８の内径は３００ｍｍ、外径は９００ｍｍとし、取り付け手段３は、天井９にあらかじめ備えられた引っ掛けシーリングに固定することができる引っ掛け部材とする。羽根板８は上板２４と下板２５とで構成され、回転軸２を中心とする任意の周方向断面形状は中空を持つ翼形で外周側取り付け角θｏ（この例では最外周の取り付け角を２０度とする）で固定されており、上板２４と下板２５の間に風路空間２６を成し、羽根板８の内周端１５と外周端２７にそれぞれ内周開口２８と外周開口２９を備えている。
【００５３】
上記構成により、電動機４により羽根板８が回転すると、正方向回転時には羽根板８の下板２５の昇圧作用により、天井扇１の外周から天井９と羽根板８の間を通った空気が下方に送風され、かつ遠心力の働きで風路空間２６内の空気が外周側に押し出されることにより天井扇１の内周側の空気が内周開口２８から風路空間２６内に流入して外周開口２９から天井扇１の外周側へ吹き出す流れが生成され、外側循環風１４と内側循環風１６を同時に生成することができるため、羽根板８の内周側でも送風の仕事をして送風効率が良く、送風の到達範囲を広くすることができる。
【００５４】
また逆回転時は羽根板８の上板２４の昇圧作用により、羽根板８の下方から天井９と羽根板８の間を通って天井扇１の外周に送風され、かつ遠心力により風路空間２６内の空気が外周側に押し出され、天井扇１の内周側の空気が内周開口２８から風路空間２６内に流入し、外周開口２９から天井扇１の外周側へ吹き出す流れを生成することができ、循環風速を向上することができる。
【００５５】
（実施の形態２）
本発明の実施の形態２を図１２に示す。参考の形態１〜６および実施の形態１と同一部分は同一番号を付し、詳細な説明は省略する。図１２（ａ）は本発明の実施の形態２の天井扇１の斜視図であり、図１２（ｂ）は同上面図である。図１２に示すように、羽根板８の上板２４の内径Ｄｔｉは５００ｍｍで、下板２５の内径Ｄｂｉは３００ｍｍであり、上板２４の内径Ｄｔｉの方が大きく、下板２５にアーム部７が固定されている。
【００５６】
この構成により、下板２５より上側で上板の内径Ｄｔｉの位置に内周開口２８ができるため、逆回転時には下板２５のうち上板の内径Ｄｔｉまでの部分が空気を内周開口２８に集める働きし、風路空間２６を通って外周開口２９から吹き出す風速を向上することができる。
【００５７】
（実施の形態３）
本発明の実施の形態３を図１３に示す。参考の形態１〜６および実施の形態１〜２と同一部分は同一番号を付し、詳細な説明は省略する。図１３（ａ）は本発明の実施の形態３の天井扇１の斜視図であり、図１３（ｂ）は同下面図である。図１３に示すように、羽根板８の上板２４の上板の内径Ｄｔｉが３００ｍｍで、下板２５の下板の内径Ｄｂｉは５００ｍｍであり、上板２４の上板の内径Ｄｔｉの方が小さく、上板２４にアーム部７が固定されている。
【００５８】
この構成により、上板２４より下側で下板の内径Ｄｂｉの位置に内周開口２８ができるため、正方向回転時には上板２４のうち下板の内径Ｄｂｉまでの部分が空気を内周開口２８に集める働きし、風路空間２６を通って外周開口２９から吹き出す風速を向上することができ、送風の到達範囲を広くすることができる。
【００５９】
（実施の形態４）
本発明の実施の形態４を図１４に示す。参考の形態１〜６および実施の形態１〜３と同一部分は同一番号を付し、詳細な説明は省略する。図１４に示すように、羽根板８の上板２４が回転部５にアーム部７を介して固定され、アーム部７と羽根板８の上板２４の接合部１１は直径５００ｍｍの位置にあり、羽根板８は接合部１１を境に内周側領域１２と外周側領域１３に分けられている。
【００６０】
この構成により、内周側の空気が風路空間２６を通って外周開口２９から吹き出す効果による到達範囲の拡大に加え、羽根板８の内周側領域１２では、正方向回転時は内周端１５より内周側の空気が羽根板８に流入し下方に吹き出され、また、逆回転時は下方から空気が羽根板８に流入し内周側に吹き出されるため、天井扇１の本体６の直下付近で内側循環風１６を生成することができ、羽根板８の内周側領域１２でも送風の仕事をするため、送風効率が良く、送風の到達範囲を広くすることができる。
【００６１】
（実施の形態５）
本発明の実施の形態５を図１５に示す。参考の形態１〜６および実施の形態１〜４と同一部分は同一番号を付し、詳細な説明は省略する。図１５に示すように、羽根板８の風路空間２６に空質改善機能３０を備えている。この例では、外周開口２９に備えられた集塵用のフィルター３１としている。
【００６２】
この構成により、天井扇１の運転による塵埃等の飛散により汚染される室内の空気が、空質改善機能３０を備えた風路空間２６を通過することにより空気質が改善される。
【００６３】
空質改善機能３０としては、フィルター３１による集塵の他に、電熱ヒーターによる加温、活性炭フィルターによる脱臭、高圧発生器によるマイナスイオン等としても良い。
【００６４】
（実施の形態６）
本発明の実施の形態１２を図１５に示す。参考の形態１〜６および実施の形態１〜５と同一部分は同一番号を付し、詳細な説明は省略する。図１５に示すように、空質改善機能３０として羽根板８の風路空間２６の外周開口２９に集塵用のフィルター３１を備えている。
【００６５】
この構成により、天井扇１の運転による塵埃等の飛散により汚染される室内の空気が、風路空間２６を通り外周開口２９に固定されたフィルター３１を通過するが、フィルター３１により集塵され、空気質を改善することができる。
【００６６】
（実施の形態７）
本発明の実施の形態１３を図１６に示す。参考の形態１〜６および実施の形態１〜６と同一部分は同一番号を付し、詳細な説明は省略する。図１６に示すように、空質改善機能３０として、羽根板８の風路空間２６の外周開口２９付近に固形芳香剤を収納できる芳香部３２を備えている。
【００６７】
この構成により、天井扇１の運転による塵埃等の飛散により臭気で汚染された室内の空気が、風路空間２６を通り外周開口２９付近に固定された芳香部３２を通過する時に芳香されて外周開口２９から吹き出されるため、室内の不快な臭気を改善することができる。
【産業上の利用可能性】
【００６８】
本発明は、羽根板の内周側領域でも送風の仕事をして送風効率が良く、送風の到達範囲が広く、正方向回転時には天井扇の中心部の直下付近でも風速を高くすることができ、逆回転時には羽根から外周に吹き出される循環風の風速を高くすることができ、室内の空気質を改善することができる天井扇を提供するものである。
【符号の説明】
【００６９】
１    天井扇
２    回転軸
３    取り付け手段
４    電動機
５    回転部
６    本体
７    アーム部
８    羽根板
９    天井
１０  最下端
１１  接合部
１２  内周側領域
１３  外周側領域
θｏ  外周側取り付け角
θｉ  内周側取り付け角
１４  外側循環風
１５  内周端
１６  内側循環風
１７  内周側羽根板
１８  外周側羽根板
α    角度
１９  羽根板金具
２０  アーム部金具
２１  固定軸
２２  ボルト
２３  ナット
θ    取り付け角
β    仰角
２４  上板
２５  下板
２６  風路空間
２７  外周端
２８  内周開口
２９  外周開口
３０  空質改善機能
３１  フィルター
３２  芳香部
【図１】
2011220347.tif 000003
【図２】
2011220347.tif 000004
【図３】
2011220347.tif 000005
【図４】
2011220347.tif 000006
【図５】
2011220347.tif 000007
【図６】
2011220347.tif 000008
【図７】
2011220347.tif 000009
【図８】
2011220347.tif 000010
【図９】
2011220347.tif 000011
【図１０】
2011220347.tif 000012
【図１１】
2011220347.tif 000013
【図１２】
2011220347.tif 000014
【図１３】
2011220347.tif 000015
【図１４】
2011220347.tif 000016
【図１５】
2011220347.tif 000017
【図１６】
2011220347.tif 000018
【図１７】
2011220347.tif 000019